(57)【特許請求の範囲】
【請求項１】
撮像レンズを有するカメラ本体と、前記撮像レンズによる撮像画像を表示する電子ディスプレイと、を備えるディジタルカメラであって、
前記カメラ本体及び前記電子ディスプレイを連結し、前記カメラ本体を第１の回転軸及び該第１の回転軸に垂直な第２の回転軸回りに回動可能に支持する連結部材と、
前記第１の回転軸上で前記連結部材に対向して配置されて前記第１の回転軸に沿って往復動可能に設けられた第１の係合軸部と、該第１の係合軸部に係脱可能に係合する第１の被係合部と、を備えた第１のロック機構と、
前記第２の回転軸上で前記連結部材に対向して配置されて前記第２の回転軸に沿って往復動可能に設けられた第２の係合軸部と、該第２の係合軸部に係脱可能に係合する第２の被係合部と、を備えている第２のロック機構と、
を備え、
前記カメラ本体は、該カメラ本体の表面に凹設されて前記電子ディスプレイを収容する収容凹部の内周壁の少なくとも一部を切り欠いて形成されて、前記電子ディスプレイの外側面を外部に露出させるスリットを備えていることを特徴とするディジタルカメラ。
【請求項２】
前記スリットは、前記カメラ本体の内周壁のうち前記第１の回転軸及び／又は前記第２の回転軸に対向する内周壁の少なくとも一部を切り欠いて形成されていることを特徴とする請求項１記載のディジタルカメラ。
【発明の詳細な説明】
【技術分野】
【０００１】
本発明は、ディジタルカメラに関するものであって、特に、ディジタルカメラをローアングルで使用する場合に、電子ディスプレイをワンタッチで縦横に回動可能なディジタルカメラを提供する。
【背景技術】
【０００２】
従来より、ディジタルカメラでは、被写体の大きさ、向き等に応じて、撮影レンズの光軸を中心にカメラを回転させ、縦画面位置と横画面位置とを撮り分けられている。
【０００３】
しかしながら、極端に低い位置で撮影するために水平方向に近い位置にカメラの撮影レンズを向ける場合、所謂、ローアングル撮影においては、地面に寝そべらなくてはならないか、又は、９０度変換プリズム又は反射鏡をファインダに取り付けなければならないという問題を生ずる。
【０００４】
そこで、極めて低い位置での撮影においては、ディジタルカメラの縦画面位置、横画面位置夫々の撮影に応じて、撮影者が電子ディスプレイを覗き易いように、電子ディスプレイの角度を縦横に変更するものが知れている。
【０００５】
このようなディジタルカメラとして、撮像レンズを有するカメラ本体と電子ディスプレイとを連結するヒンジユニットと、ヒンジユニットをカメラ本体に対して第１の方向回りに９０°回動可能に軸支する第１の回動軸と、電子ディスプレイをヒンジユニットに対して第２の方向回りに９０°回動可能に軸支する第２の回転軸と、本体部とヒンジユニットとを開閉自在に連結する第１のクイックリリース機構と、ヒンジユニットと電子ディスプレイとを開閉自在に連結する第２のクイックリリース機構とを備え、電子ディスプレイを縦横に回動可能なものが知られている（特許文献１を参照）。
【先行技術文献】
【特許文献】
【０００６】
【特許文献１】特許第５２９６２７０号
【発明の概要】
【発明が解決しようとする課題】
【０００７】
しかしながら、上述したようなディジタルカメラは、電子ディスプレイとカメラ本体との間にヒンジユニットを設けるため、ディジタルカメラの構造が複雑になり、製作負担が重くなる虞があった。
【０００８】
また、第１のクイックリリース機構又は第２のクイックリリース機構の解放時に、電子ディスプレイ又はヒンジユニットをバネ等で上方に跳ね上げて、撮影者が電子ディスプレイ又はヒンジユニットを指で摘まみ易くすることも考えられるが、ディジタルカメラの複雑化や大型化を招くという問題があった。
【０００９】
そこで、ローアングル撮影に応じて電子ディスプレイをワンタッチで縦横自在に回動するために解決すべき技術的課題が生じてくるのであり、本発明は、この課題を解決することを目的とする。
【課題を解決するための手段】
【００１０】
本発明は上記目的を達成するために提案されたものであり、請求項１記載の発明は、撮像レンズを有するカメラ本体と、前記撮像レンズによる撮像画像を表示する電子ディスプレイと、を備えるディジタルカメラであって、前記カメラ本体及び前記電子ディスプレイを連結し、前記カメラ本体を第１の回転軸及び該第１の回転軸に垂直な第２の回転軸回りに回動可能に支持する連結部材と、前記第１の回転軸上で前記連結部材に対向して配置されて前記第１の回転軸に沿って往復動可能に設けられた第１の係合軸部と、該第１の係合軸部に係脱可能に係合する第１の被係合部と、を備えた第１のロック機構と、前記第２の回転軸上で前記連結部材に対向して配置されて前記第２の回転軸に沿って往復動可能に設けられた第２の係合軸部と、該第２の係合軸部に係脱可能に係合する第２の被係合部と、を備えている第２のロック機構と、を備え、前記カメラ本体は、該カメラ本体の表面に凹設されて前記電子ディスプレイを収容する収容凹部の内周壁の少なくとも一部を切り欠いて形成されて、前記電子ディスプレイの外側面を外部に露出させるスリットを備えているディジタルカメラを提供する。
【００１１】
この構成によれば、第１の係合軸部と第１の被係合部との係合を解除することにより、電子ディスプレイを第２の回転軸回りに回動させることができ、第２の係合軸部と第２の被係合部との係合を解除することにより、電子ディスプレイを第１の回転軸回りに回動させることができる。
【００１２】
さらに、スリットを介して電子ディスプレイの外側面が外部に露出することにより、撮影者が指で電子ディスプレイを把持する等して電子ディスプレイの回動操作がし易く、簡単に電子ディスプレイを開閉することができる。
【００１３】
請求項２記載の発明は、請求項１記載のディジタルカメラの構成に加えて、前記スリットは、前記カメラ本体の内周壁のうち前記第１の回転軸及び／又は前記第２の回転軸に対向する内周壁の少なくとも一部を切り欠いて形成されているディジタルカメラを提供する。
【００１４】
この構成によれば、スリットを第１の回転軸に対向して設けることにより、撮影者が電子ディスプレイの外側面を第１の回転軸に向けて押しながら電子ディスプレイを回動させられるため、電子ディスプレイを押す指が滑ることなく確実に電子ディスプレイを回動させることができる。また、スリットを第２の回転軸に対向して設けることにより、撮影者が電子ディスプレイの外側面を第２の回転軸に向けて押しながら電子ディスプレイを回動させられるため、電子ディスプレイを押す指が滑ることなく確実に電子ディスプレイを回動させることができる。
【発明の効果】
【００１５】
本発明は、簡単な構造で電子ディスプレイをワンタッチで縦横自在に回動させることができ、どのような光景の被写体であっても、撮影者の好みの構図で且つ自由な姿勢でディジタルカメラの電子ディスプレイを見ながら撮影することができる。
【図面の簡単な説明】
【００１６】
【図１】本発明の一実施例に係るディジタルカメラを示す斜視図。
【図２】図１に示すディジタルカメラの一部切欠平面図。
【図３】図１の第１のロック機構を示す要部拡大断面図。
【図４】液晶ディスプレイをＸ軸回りに回動させた状態を示す斜視図。
【図５】液晶ディスプレイをＹ軸回りに回動させた状態を示す斜視図。
【図６】第１のロック機構の第１変形例を示す要部拡大断面図。
【図７】第１のロック機構の第２変形例を示す要部拡大断面図。
【発明を実施するための形態】
【００１７】
本発明は、簡単な構造で、ローアングル撮影に応じて電子ディスプレイをワンタッチで縦横自在に回動するという目的を達成するために、撮像レンズを有するカメラ本体と、撮像レンズによる撮像画像を表示する電子ディスプレイと、を備えるディジタルカメラであって、カメラ本体及び電子ディスプレイを連結し、カメラ本体を第１の回転軸及び第１の回転軸に垂直な第２の回転軸回りに回動可能に支持する連結部材と、第１の回転軸上で連結部材に対向して配置されて第１の回転軸に沿って往復動可能に設けられた第１の係合軸部と、第１の係合軸部に係脱可能に係合する第１の被係合部と、を備えた第１のロック機構と、第２の回転軸上で連結部材に対向して配置されて第２の回転軸に沿って往復動可能に設けられた第２の係合軸部と、第２の係合軸部に係脱可能に係合する第２の被係合部と、を備えている第２のロック機構と、を備え、カメラ本体は、カメラ本体の表面に凹設されて電子ディスプレイを収容する収容凹部の内周壁の少なくとも一部を切り欠いて形成されて、電子ディスプレイの外側面を外部に露出させるスリットを備えていることにより実現した。
【実施例】
【００１８】
以下、本発明の一実施例に係るディジタルカメラ１について、図面に基づいて説明する。なお、本実施例において、ディジタルカメラ１の長手方向に延びる回転軸をＸ軸とし、ディジタルカメラ１の短手方向に延びる回転軸をＹ軸とする。
【００１９】
図１及び２に示すように。本実施例に係るディジタルカメラ１は、図示しない撮像レンズを有するカメラ本体２と、撮像レンズによる撮像画像を表示する電子ディスプレイとしての液晶ディスプレイ３と、を備えている。なお、電子ディスプレイは、有機ＥＬディスプレイであっても構わない。
【００２０】
また、ディジタルカメラ１は、カメラ本体２及び液晶ディスプレイ３を連結し、カメラ本体２をＸ軸及びＸ軸に垂直なＹ軸回りに回動可能に支持する連結部材４と、Ｘ軸上で連結部材４に対向して配置された第１のロック機構５と、Ｙ軸上で連結部材４に対向して配置された第２のロック機構６と、を備えている。
【００２１】
液晶ディスプレイ３は、平面視で略矩形状に形成されている。液晶ディスプレイ３がカメラ本体２に収容されている（閉じている）際には、液晶ディスプレイ３は、カメラ本体２の表面２ｓに凹設された収容凹部２１内に収容されるようになっており、液晶ディスプレイ３の下端部３３を除く外側面３ａが収容凹部２１の内周壁２１ａに囲繞されるようになっている。
【００２２】
液晶ディスプレイ３の下端部３３は、カメラ本体２のＸ軸に対向する内周壁を切り欠いて形成されたスリット２２を介して、外部に露出している。なお、スリット２２は、カメラ本体２のＹ軸に対向する内周壁２１ａを切り欠いて形成されても構わない。
【００２３】
連結部材４は、Ｌ字状に形成された軸受４１と、軸受４１の挿通孔４１ａ内に挿通されて軸受４１に連結され、液晶ディスプレイ３のＹ軸方向の一方端３ｙａを軸支するＹ方向固定軸部４２と、軸受４１の挿通孔４１ｂ内に挿通されて軸受４１に連結され、カメラ本体２に対して液晶ディスプレイ３をＸ軸回りに回動可能に支持するＸ方向固定軸部４３と、を備えている。
【００２４】
軸受４１の外周面４１ｃとＹ方向固定軸部４２のフランジ４２ａとの間には、Ｙ軸方向のバックラッシュを除去するウェーブワッシャ４４が設けられている。また、ウェーブワッシャ４４が、軸受４１の外周面４１ｃとＹ方向固定軸部４２のフランジ４２ａとの間に介装されることにより、軸受４１とＹ方向固定軸部４２との間に摩擦抵抗が生じ、Ｙ軸回りに開いた液晶ディスプレイ３が閉じることを抑制することができる。
【００２５】
軸受４１の内周面４１ｄとＸ方向固定軸部４３のフランジ４３ａとの間には、Ｘ軸方向のバックラッシュを除去するウェーブワッシャ４５が設けられている。また、ウェーブワッシャ４５が、軸受４１の内周面４１ｄとＸ方向固定軸部４３のフランジ４３ａとの間に介装されることにより、軸受４１とＸ方向固定軸部４３との間に摩擦抵抗が生じ、Ｘ軸回りに開いた液晶ディスプレイ３が閉じることを抑制することができる。
【００２６】
第１のロック機構５は、図３に示すように、Ｘ軸方向固定軸部４３と同軸上に配置されてＸ軸に沿って往復動可能に設けられた第１の係合軸部５１と、液晶ディスプレイ３の外側面３ｓに凹設されて第１の係合軸部５１に係脱可能に係合する盲孔状の第１の被係合部５２と、を備えている。第１の係合軸部５１と第１の被係合部５２とが係合することにより、第１のロック機構５は、液晶ディスプレイ３のＸ軸方向の端部３ｘを軸支する。
【００２７】
第１の係合軸部５１は、カメラ本体２の収容孔２ａ内にバネ５３を介して収容されており、バネ５３の付勢力で第１の係合軸部５１の一部が、第１の被係合部５２内に嵌入されている。なお、図３の符号５４は、カメラ本体２に形成されたスライド孔２ｂを介して第１の係合軸部５１に連結され、収容孔２ａ内で第１の係合軸部５１をＸ軸方向に往復動させる操作子である。
【００２８】
第２のロック機構６は、Ｙ軸方向固定軸部４２と同軸上に配置されてＹ軸に沿って往復動可能に設けられた第２の係合軸部６１と、液晶ディスプレイ３の外側面３ｓに凹設されて第２の係合軸部６１に係脱可能に係合する盲孔状の第２の被係合部６２と、を備えている。第２の係合軸部６１と第２の被係合部６２とが係合することにより、第２のロック機構６は、液晶ディスプレイ３のＹ軸方向の他方端３ｙｂを軸支する。
【００２９】
第２の係合軸部６１は、カメラ本体２の収容孔２ｃ内にバネ６３を介して収容されており、バネ６３の付勢力で第２の係合軸部６１の一部が、第２の被係合部６２内に嵌入されている。なお、図４の符号６４は、収容孔２ｂ内で第２の係合軸部６１をＹ軸方向に往復動させる操作子である。
【００３０】
次に、第１のロック機構５と第２のロック機構６の作用について説明する。
まず、液晶ディスプレイ３をカメラ本体２に収容した通常時は、第１の係合軸部５１は、第１の被係合部５２内に嵌入され、第２の係合軸部６１は、第２の被係合部６２内に嵌入されている。したがって、液晶ディスプレイ３は、Ｘ軸方向をＸ方向固定軸部４３と第１の係合軸部５１とで軸支され、Ｙ軸方向をＹ方向固定軸部４２と第２の係合軸部６１とで軸支されている。
【００３１】
次に、図４に示すように、通常時から液晶ディスプレイ３をＹ軸回りに回動させる際には、第１のロック機構５を解除する。具体的には、第１の係合軸部５１をバネ５３に抗しながらＸ軸方向に液晶ディスプレイ３から離れる向きにスライドさせて、第１の係合軸部５１と第１の被係合部５２との係合を解除する。
【００３２】
そして、撮影者が、スリットを介して外部に外側面３ｓを露出した液晶ディスプレイ３を把持して、液晶ディスプレイ３を図４の反時計回りに回動させる。これにより、液晶ディスプレイ３は、Ｙ軸回りに上方に回動することができ、撮影者は、上方から縦画面位置の液晶ディスプレイ３を覗きながら、ローアングルの縦画面位置の撮影をすることができる。
【００３３】
なお、縦画面位置の液晶ディスプレイ３を再びカメラ本体２に収容する際に、第１の係合軸部５１が液晶ディスプレイ３に押されて、バネ５３を抗しながら第１の係合軸部５１がＸ軸方向にスライドし、液晶ディスプレイ３がカメラ本体２に完全に収容されると、バネ５３の付勢力で第１の係合軸部５１の一部が、第１の被係合部５２内に嵌入される。
【００３４】
次に、図５に示すように、通常時から液晶ディスプレイ３をＸ軸回りに回動させる際には、第２のロック機構６を解除する、具体的には、第２の係合軸部６１をバネ６３に抗しながらＹ軸方向に液晶ディスプレイ３から離れる向きにスライドさせて、第２の係合軸部６１と第２の被係合部６２との係合を解除する。
【００３５】
そして、撮影者が、スリットを介して外部に外側面３ｓを露出した液晶ディスプレイ３を把持して、撮影ディスプレイ３をＸ軸に向けて押しながら液晶ディスプレイ３を図５の反時計回りに回動させる。これにより、撮影者は、液晶ディスプレイ３を押す指が滑ることなく液晶ディスプレイ３をＸ軸回りに上方に回動することができ、撮影者は、上方から横画面位置の液晶ディスプレイ３を覗きながら、ローアングルの横画面位置の撮影をすることができる。
【００３６】
なお、横画面位置の液晶ディスプレイ３を再びカメラ本体２に収容する際に、第２の係合軸部６１が液晶ディスプレイ３に押されて、バネ６３を抗しながら第２の係合軸部６１がＹ軸方向にスライドし、液晶ディスプレイ３がカメラ本体２に完全に収容されると、バネ６３の付勢力で第２の係合軸部６１の一部が、第２の被係合部６２内に嵌入される。
【００３７】
なお、図６に示すように、第１のロック機構５は、第１の係合軸部５１と第１の被係合部５２とが当接する当接面５ｓをＸ軸に沿ってテーパ状に形成されたものであっても構わない。これにより、バックラッシュを０にして、Ｘ軸回りに液晶ディスプレイ３が回動した状態であっても、液晶ディスプレイ３が重力等を受けて動かないように第１の係合軸部５１と第１の被係合部５２との間の摩擦力を調整することができる。また、第１の係合軸部５１と第１の被係合部５２との位置合わせを正確に且つ容易に行うことができる。
【００３８】
また、図７に示すように、第１のロック機構５は、液晶ディスプレイ３の外側面３ｓから突設された第１の被係合部５２を凸球面状に形成し、第１の係合軸部５１の第１の被係合部５２に対向する先端を凹球面状に形成したものであっても構わない。これにより、液晶ディスプレイ３が重力等を受けて動かないように第１の係合軸部５１と第１の被係合部５２との間の摩擦力を調整することができる。また、第１の係合軸部５１と第１の被係合部５２との位置合わせを正確に且つ容易に行うことができる。さらに、非常に薄い液晶ディスプレイ３に第１の係合軸部５１を嵌入する孔を設ける必要がなく、液晶ディスプレイの強度を維持することができる。
【００３９】
なお、凸球面状の第１の被係合部５２は、非常に小さくても構わず、例えば、１ｍｍ以下であっても構わない。また、凸球面状の第１の被係合部５２は、液晶ディスプレイ３の外枠に固着されたものであっても、プレス等で液晶ディスプレイ３の外枠を作製する際に同時に成形されたものであっても構わない。なお、当接面５ｓは、Ｘ軸に対して垂直な断面が円形であれば良く、第１の係合軸部５１と第１の被係合部５２とは、例えば、楕円状であっても構わない。
【００４０】
なお、上述した第１のロック機構５の各変形例は、第２のロック機構６にも同様に適用可能なことは当然である。
【００４１】
上述したように、本実施例に係るディジタルカメラ１は、第１の係合軸部５１と第１の被係合部５２との係合を解除することにより、液晶ディスプレイ３がＹ軸回りに回動可能になり、第２の係合軸部６１と第２の被係合部６２との係合を解除することにより、液晶ディスプレイ３がＸ軸回りに回動可能になるため、どのような光景の被写体であっても、撮影者の好みの構図で且つ、自由な姿勢でディジタルカメラ１の液晶ディスプレイ３を見て自在に撮影することができる。
【００４２】
なお、本発明は、本発明の精神を逸脱しない限り種々の改変をなすことができ、そして、本発明が該改変されたものにも及ぶことは当然である。
【符号の説明】
【００４３】
１  ・・・  ディジタルカメラ
２  ・・・  カメラ本体
２ｓ・・・  （カメラ本体の）表面
２１・・・  収容凹部
２１ａ・・・内周壁
２２・・・  スリット
３  ・・・  ディスプレイ
３ｓ・・・  外側面
４  ・・・  連結部材
４１・・・  軸受
４２・・・  Ｙ軸方向固定軸部
４３・・・  Ｘ軸方向固定軸部
５  ・・・  第１のロック機構
５１・・・  第１の係合軸部
５２・・・  第１の被係合部
５３・・・  バネ
５４・・・  操作子
６  ・・・  第２のロック機構
６１・・・  第２の係合軸部
６２・・・  第２の被係合部
６３・・・  バネ
６４・・・  操作子
【要約】
【課題】簡単な構造で、ローアングル撮影に応じて電子ディスプレイをワンタッチで縦横自在に回動するディジタルカメラを提供する。
【解決手段】カメラ本体２と液晶ディスプレイ３を連結し、カメラ本体２をＸ軸及びＹ軸回りに回動可能に支持する連結部材４と、Ｘ軸上で連結部材４に対向して配置されてＸ軸に沿って往復動可能に設けられた第１の係合軸部５１と、第１の係合軸部５１に係脱可能に係合する第１の被係合部５２と、を備えた第１のロック機構５と、Ｙ軸上で連結部材４に対向して配置されてＹ軸に沿って往復動可能に設けられた第２の係合軸部６１と、第２の係合軸部６１に係脱可能に係合する第２の被係合部６２と、を備えている第２のロック機構６と、を備え、カメラ本体２は、カメラ本体２の表面２ｓに凹設されて液晶ディスプレイ３を収容する収容凹部２１の内周壁２１ａの一部を切り欠いて形成されて液晶ディスプレイ３の外側面３ｓを外部に露出させるスリット２２を備えているディジタルカメラ１。
【選択図】図１【図１】
0005461739.tif 000002
【図２】
0005461739.tif 000003
【図３】
0005461739.tif 000004
【図４】
0005461739.tif 000005
【図５】
0005461739.tif 000006
【図６】
0005461739.tif 000007
【図７】
0005461739.tif 000008